(57)【要約】【目的】ビードに使用される塩化ビニル材製の紐は硬い方が伸縮がしにくく弛みも出にくいので作業がしやすくて都合が良いが、巻いた状態で店頭に並べると日数が経つにつれて折れや切れを生じてしまうことがある。このような理由から比較的軟質のビードが売られることが多い。ところが、ビードの硬軟にかかわらず、ローラーによる圧入作業はビードを押し進めていく過程でどうしてもビードを伸ばしてしまう。そこで、本考案ではローラーせずにビードの圧入を行って網やビードが伸びたり撓んだりせずに網を均一に張ることができ、仕上がり状態が良好な網戸の網張り具を提供することを目的とする。【構成】合成樹脂材製等からなる片手で把持できるへらであって把持部の両端部を大小二つの径を有する円弧状に形成すると共に、当該円弧の端部を尖らせてフレームのコーナー等の細かい作業を行えるように構成した。【選択図】図１
0003131900.tif 000002
【実用新案登録請求の範囲】
【請求項１】
片手で把持可能な把持部の両端部を大小二つの径を有する円弧状に形成したへらであって、各円弧の一又は二の端部を尖らせて形成したことを特徴とする網戸の網張り具。
【考案の詳細な説明】
【技術分野】
【０００１】
本考案は、網戸フレームに網戸を張り替えために利用される道具に関するものである。より詳しくは網戸フレームに設けた網受け溝に防虫網と共に網押えロープを連続的に圧入することができる網張り道具に関するものである。
【背景技術】
【０００２】
網戸はアルミニウム合金等を素材とするフレームに、合成樹脂材製等の防虫網を張ったものであって、網戸フレームへの防虫網の取り付け作業はまず、網戸フレームに防虫網を被せ、フレームの内周部に沿って形成された網受け溝にゴム製の網押えロープ（ビード）を防虫網と共に押し込むと言った手順で行われている。
【０００３】
従来このような網戸の網張り作業を自動で行う場合には網戸用防虫網の張設装置が使用されている。（特開平１０−２１７２０６）
この装置は圧入ローラーでビードを網と共に網受け溝内に圧入する圧入ローラーとカッターとロープ巻回アームを備えており、フレームの網受け溝への網押えロープの圧入開始からロープを切断、巻きつけて次の網押えロープ圧入の準備に至る一連の作業をすべて人出をかけることなく連続的に行うものである。
【０００４】
一方、手作業で網張り作業を行う場合にも網張りローラーが使用されている。
特開２００６−１９４０５６号公報に記載された発明は網を枠辺に押し付けていく機能を有する特殊具を取り付けた網張りローラーであって張りむらをなくして網の膨れや皺を軽減することを目的とするものである。
【０００５】
又、同様に手作業で網戸の網張り作業を行う際に使用される道具として図１に示すような網張りローラーが市販されている。
【０００６】
網張りローラー１は大小二つの直径を有する車２、３を把持部４の各端部に転動可能に取り付けており、細い幅のビードを圧入するときは小さい径のローラーを使用し、網戸枠の四隅等細かい作業が必要なときには把持部に設けられた、角専用の尖った押し込み部４aを使用する。
【特許文献１】特開平１０−２１７２０６号公報
【特許文献２】特開２００６−１９４０５６号公報
【考案の開示】
【考案が解決しようとする課題】
【０００７】
網戸の網張り作業を自動化した装置も、手作業で行う場合に使用される道具のいずれにおいても網及びビードの圧入にはローラーが使用されている。
【０００８】
ローラーによる圧入作業では、ビードを前方へ押圧しながら圧入するためにビードや網が伸びやすく弛みも生じやすい。
【０００９】
ビードに使用される塩化ビニル材製の紐は硬い方が伸縮がしにくく弛みも出にくいので作業がしやすくて都合が良いが、巻いた状態で店頭に並べると日数が経つにつれて折れや切れを生じてしまうことがある。また、メーカーや種類によって網戸フレームの網受け溝の大きさが異なる場合であっても柔らかいビードは押し込むことで溝へ適応させることができる。このような理由からホームセンター等の量販店の店頭には比較的軟質のビードが売られることが多い。
【００１０】
ところが、ビードの硬軟にかかわらず、ローラーによる圧入作業はビードを押し進めていく過程でどうしてもビードを伸ばしてしまう。
【００１１】
ビードが柔らかい場合は尚更この伸びが大きくなってしまう。
【００１２】
例えば全周４ｍを有する網戸フレームに網を張ると１０ｃｍ程度のビードの伸びが生じるのである。
【００１３】
また、ローラーを回転させながらのビード圧入作業では手元を誤るとローラーがはずれてその勢いで防虫網を破ってしまうおそれがある。
【００１４】
このようなビードの伸びは網張り作業が自動であっても手動であってもローラーを有する装置や道具を使用することに起因するものである。
【００１５】
そこで、本考案ではローラーせずにビードの圧入を行って網やビードが伸びたり撓んだりせずに網を均一に張ることができ、仕上がり状態が良好な網戸の網張り具を提供することを目的とする。
【課題を解決するための手段】
【００１６】
本考案に係る網戸の網張り具は合成樹脂材製等からなる片手で把持できるへらであって把持部の両端部を大小二つの径を有する円弧状に形成すると共に、当該円弧の端部を尖らせてフレームのコーナー等の細かい作業を行えるように構成するのである。
【考案の効果】
【００１７】
１、ビードや網が伸びたり弛んで皺が寄ったりせずに均一に網戸を張ることができ、良好な仕上がり状態を得ることができる。
２、大小二つの厚みを有する円弧を端部に形成したのでビードの幅に合わせて使い分けることができる。又、へらの尖った先端部で網戸フレームのコーナーなどの細かい作業がしやすい。
３、てこの原理を利用して前後にへらを動かしてビードを圧入するため軽い力で作業を進めることができる。
４、ローラーのように手元が誤って勢いづいて網戸を破ることがない。
【考案を実施するための最良の形態】
【００１８】
次に本考案の最適な実施形態について図面を参照しながら説明する。
【００１９】
図２が本考案に係る網戸の網張り具５の斜視図である。網張り具５は把持部６の端部７、８を大小の径を有する円弧状に形成したへらであって、大径の円弧状に形成された端部７は厚みが３．３ｍｍあり幅の太いビードを張る際に使用され、小径の円弧状の端部８は厚みが２．２ｍｍあり幅の狭いビードを張る際に使用すると、ビードの幅に合わせて使い分けができて便利である。
【００２０】
網張り具５の大きさは片手で把持し、作業がしやすい大きさであることが好ましいが、把持部の長さや各円弧の径の大きさ更に厚みなどは限定されるものではなく、網戸フレームの網受け溝の幅やビードの幅に合わせて適宜変更可能である。
素材はＡＰＳ樹脂が適しているがその他の合成樹脂材或いは木製であっても良く、限定されるものではない。
【００２１】
大小二つのへらは専ら直線状にビードを張る際に使用するが網戸フレームの四隅等細かい作業にはへらの尖った端部７ａ、８ａを使用すると仕上がりが美しい。
【００２２】
次に実際にこのへら５を使用して網戸を張る手順について説明する。
【００２３】
まず、網戸９を網戸枠１０と平行になるように置く。次にビード１２の端をコーナーの溝１１にＬ型に入れ、網９を止める。そのビードを溝１１の上にまっすぐに置き、網目と平行になるように注意しながらへら５を矢印に示すように、てこの要領で前後に動かしながらビード１２を溝１１に押さえ込んでいくのである。コーナー部ではへらの尖った端部７ａや８ａを使用して網やビードを圧入すると美しく仕上がる。
【００２４】
フレームの最初の二辺は溝１１に網目が平行にあるようにビードを入れるのがポイントであるが、残りの二辺にビード１２を圧入する際には手のひらで枠１０の内側の網９のたるみを引っ張り加減にしてへら５で押さえ込んでいくのである。
【００２５】
網９の張り終わりに弛みがないことを確認した後、ビード１２と余分な網をカッターナイフで切り落として網張り作業が完了するのである。
【図面の簡単な説明】
【００２６】
【図１】従来の網張りローラーの正面図。
【図２】本考案の網張り具の斜視図。
【図３】網張り作業を示す説明図。
【符号の説明】
【００２７】
５、網張りへら        ６、把持部        ７、８、円弧状端部
９、網              １０、網戸フレーム    １１、網受け溝
１２、ビード
【図１】
0003131900.tif 000003
【図２】
0003131900.tif 000004
【図３】
0003131900.tif 000005